(57)【要約】【課題】検索にて得られた各施設から目的とする施設を決める際により有用な情報をその検索結果とともに提供することのできる「車載ナビゲーション装置」を提供することである。【解決手段】所定の検索条件に従って施設を検索し、その施設に関する情報を表示部に表示させるようにした車載ナビゲーション装置であって、車両の現在位置を取得する車両位置取得手段（Ｓ１１）と、前記検索により得られた各施設に対して、当該車両が前記車両位置取得手段により得られた現在位置から当該施設まで走行する際に前記現在位置と前記施設の位置との相対的な関係により必要となる物があるか否かを判定する必要物有無判定手段（Ｓ１５）と、前記検索により得られた各施設についての情報とともに、各施設に対応付けて前記必要物有無判定手段にて得られた判定結果を前記表示部に表示させる表示制御手段（Ｓ１８、Ｓ１９、Ｓ２０、Ｓ２３）とを有する構成となる。【選択図】図２
2012047620.tif 000002
【特許請求の範囲】
【請求項１】
所定の検索条件に従って施設を検索し、その施設に関する情報を表示部に表示させるようにした車載ナビゲーション装置であって、
車両の現在位置を取得する車両位置取得手段と、
前記検索により得られた各施設に対して、当該車両が前記車両位置取得手段により得られた現在位置から当該施設まで走行する際に前記現在位置と前記施設の位置との相対的な関係により必要となる物があるか否かを判定する必要物有無判定手段と、
前記検索により得られた各施設についての情報とともに、各施設に対応付けて前記必要物有無判定手段にて得られた判定結果を前記表示部に表示させる表示制御手段とを有する車載ナビゲーション装置。
【請求項２】
前記車両の乗員が前記物を所持しているか否かを判定する必要物所持判定手段と、
該必要物所持判定手段により、乗員が前記物を所持していないと判定されたときに、前記検索により得られた各施設のうち、現在位置から当該車両が走行する際に前記物が必要となる施設の情報を前記表示部に表示させることを禁止する表示禁止制御手段とを有する請求項１記載の車載ナビゲーション装置。
【請求項３】
前記検索により得られた各施設が、前記現在位置の属する国の飛び地に位置するか否かを判定する飛び地判定手段を有し、
前記表示制御手段は、各施設に対応付けて、更に、前記飛び地判定手段にて得られた判定結果を前記表示部に表示させる請求項１または２記載の車載ナビゲーション装置。
【請求項４】
前記検索により得られた各施設が属する地域に固有となる地域固有情報を取得する地域固有情報取得手段を有し、
前記表示制御手段は、各施設に対応付けて、更に、当該施設に属する地域に固有となる地域固有情報を前記表示部に表示させる請求項１乃至３のいずれかに記載の車載ナビゲーション装置。
【請求項５】
前記地域固有情報は、その地域での物品に対する税金についての情報である請求項４記載の車載ナビゲーション装置。
【請求項６】
前記車両が前記車両位置取得手段により得られた現在位置から当該施設まで走行する際に、前記現在位置と前記施設の位置との相対的な関係により必要となる物は、パスポートである請求項１乃至５のいずれかに記載の車載ナビゲーション装置。
【請求項７】
所定の検索条件に従って施設を検索し、その施設に関する情報を表示部に表示させるようにした車載ナビゲーション装置であって、
前記検索により得られた各施設が属する地域に固有となる地域固有情報を取得する地域固有情報取得手段を有し、
前記検索により得られた各施設についての情報とともに、各施設に対応付けて前記地域固有情報を前記表示部に表示させる表示制御手段とを有する車載ナビゲーション装置。
【請求項８】
前記地域固有情報は、その地域での物品に対する税金についての情報である請求項７記載の車載ナビゲーション装置。
【発明の詳細な説明】
【技術分野】
【０００１】
本発明は、車両ナビゲーションに関する処理のほか、所定の検索条件に従って施設を検索し、その施設に関する情報を表示部に表示させるようにした車載ナビゲーション装置に関する。
【背景技術】
【０００２】
従来、地図データ記憶手段に、ジャンルと、このジャンルそれぞれに属する施設の名称及びこれらの施設の所在地である行政区域の名称の各情報とともに、上記施設の所在地である行政区域に隣接する行政区域の名称の情報についても格納しておき、施設検索手段が、入力手段により指定されたジャンルに属し、かつ指定された行政区域を所在地にする施設の名称の情報と併せ、指定された行政区域に隣接する行政区域を所在地にする施設の名称の情報について地図データ記憶手段を検索し該当する施設の名称の情報を抽出するように構成された施設検索装置が提案されている（特許文献１参照）。このように構成された施設検索装置では、ユーザが検索したい施設の所在地である行政区域の情報を正確に記憶しておらず、このためにユーザが誤って隣接する行政区域を指定した場合でも所望の施設を容易に検索することができる。
【先行技術文献】
【特許文献】
【０００３】
【特許文献１】特開２００６−３３１１１４号公報
【発明の概要】
【発明が解決しようとする課題】
【０００４】
ところで、車載ナビゲーション装置では、現在地点の近傍のコンビニエンスストア等の施設検索や設定されたルート沿いのガソリンスタンド等の施設検索等、所定の検索条件に従って施設を検索するＰＯＩ（ＰＯＩ：Point Of Interest）検索が可能である。このような施設検索では、車両が前述した複数の行政区域の境界付近を走行する場合、現在車両が走行中の行政区域と異なる行政区域の施設が検索結果として得られる可能性がある。また、同様に国境付近を車両が走行する場合には、現在車両が走行する国と異なる国の施設が検索結果として得られる可能性がある。
【０００５】
このような場合、検索により得られた各施設に対応付けてその施設が属する国名を単に表示させても、運転に集中する運転者が検索により得られた施設まで行くためにパスポートが必要かどうかをとっさに判断し難い。また、車両の現在位置が属する国と施設の位置が属する国とが同じであっても、その施設が車両の現在位置が属する国の飛び地にある場合には、単に国名だけでは、その施設に行くためにパスポートが必要であるか否かを判断することができない。このことは、パスポートだけでなく、車両が現在位置から当該施設まで走行する際に前記現在位置と前記施設の位置との相対的な関係により必要となる物、例えば、地域毎に発行される通行許可証、地域毎に走行可能な車両を証明する証書等でも同じ問題が生ずる。
【０００６】
また、例えば、米国では、物品に対する税金が州独自に決められていることから、州境を走行する車両の乗員にとっては、検索された施設の属する州の物品に対する税金が分かれば便利である。このように、物品に対する税金のように、検索結果により得られた各施設が属する国の固有な情報がその施設に対応付けて提供されることは、運転者にとって検索された各施設から目的とする施設を決める際に役立つ。
【０００７】
本発明はこのような事情に鑑みてなされたもので、検索にて得られた各施設から目的とする施設を決める際により有用な情報をその検索結果とともに提供することのできる車載ナビゲーション装置を提供するものである。
【課題を解決するための手段】
【０００８】
本発明に係る車載ナビゲーション装置は、所定の検索条件に従って施設を検索し、その施設に関する情報を表示部に表示させるようにした車載ナビゲーション装置であって、車両の現在位置を取得する車両位置取得手段と、前記検索により得られた各施設に対して、当該車両が前記車両位置取得手段により得られた現在位置から当該施設まで走行する際に前記現在位置と前記施設の位置との相対的な関係により必要となる物があるか否かを判定する必要物有無判定手段と、前記検索により得られた各施設についての情報とともに、各施設に対応付けて前記必要物有無判定手段にて得られた判定結果を前記表示部に表示させる表示制御手段とを有する構成となる。
【０００９】
このような構成により、検索により得られた各施設についての情報とともに、各施設に対応づけて車両が現在位置から当該施設まで走行する際に前記現在位置と前記施設の位置との相対的な関係により必要となる物があるか否かの判定結果が表示されるので、検索により得られた各施設から目的の施設を、その施設まで走行する際に必要となる物があるか否かの判定結果を考慮して決めることができるようになる。
【００１０】
本発明に係る車載ナビゲーション装置において、前記車両の乗員が前記物を所持しているか否かを判定する必要物所持判定手段と、該必要物所持判定手段により、乗員が前記物を所持していないと判定されたときに、前記検索により得られた各施設のうち、現在位置から当該車両が走行する際に前記物が必要となる施設の情報を前記表示部に表示させることを禁止する表示禁止制御手段とを有する構成とすることができる。
【００１１】
このような構成によれば、車両が現在位置からある施設まで走行する際にその現在位置と前記施設の位置との相対的な関係により必要となる物を乗員が所持していない場合には、検索により得られた施設のうちそのような物を必要としない施設だけを表示することができるようになるので、乗員は、検索結果として表示された施設からその物の所持を考慮せずに目的とする施設を決めることができるようになる。
【００１２】
また、本発明に係る車載ナビゲーション装置において、前記検索により得られた各施設が、前記現在位置の属する国の飛び地に位置するか否かを判定する飛び地判定手段を有し、前記表示制御手段は、各施設に対応付けて、更に、前記飛び地判定手段にて得られた判定結果を前記表示部に表示させる構成とすることができる。
【００１３】
このような構成により、検索により得られた各施設に対して、当該施設が車両の現在位置が属する国の飛び地に位置するか否かの判定結果が表示されるので、その飛び地であるか否かの判定結果を考慮して検索により得られた各施設から目的とする施設を決めることができるようになる。
【００１４】
更に、本発明に係る車載ナビゲーション装置において、前記検索により得られた各施設が属する地域に固有となる地域固有情報を取得する地域固有情報取得手段を有し、前記表示制御手段は、各施設に対応付けて、更に、当該施設に属する地域に固有となる地域固有情報を前記表示部に表示させる構成とすることができる。
【００１５】
このような構成により、検索により得られた各施設についての情報とともに、各施設に対応付けて当該施設に属する地域に固有となる地域固有情報が表示されるので、そのような地域固有情報を考慮して検索により得られた各施設から目的とする施設を決めることができる。
【００１６】
前記地域固有情報は、その地域での物品に対する税金についての情報とすることができる。この場合、各施設が属する地域での物品に対する税金を考慮して検索により得られた各施設から目的とする施設を決めることができる。
【００１７】
また、前記車両の現在位置から当該施設まで走行する際に、前記現在位置と前記施設の位置との相対的な関係により必要となる物は、パスポートとすることができる。この場合、検索により得られた各施設から目的の施設を、その施設まで走行する際にパスポートが必要であるか否かを考慮して決めることができるようになる。車両の現在位置と施設の位置との相対的な関係により必要となる物は、前記パスポートの他、例えば、地域毎に通行証を課している場合には、その通行証、また、地域毎に走行可能な車両の性能が規定されている場合には、その車両の性能を証明する証書等とすることができる。
【００１８】
本発明に係る車載ナビゲーション装置は、所定の検索条件に従って施設を検索し、その施設に関する情報を表示部に表示させるようにした車載ナビゲーション装置であって、前記検索により得られた各施設が属する地域に固有となる地域固有情報を取得する地域固有情報取得手段を有し、前記検索により得られた各施設についての情報とともに、各施設に対応付けて前記地域固有情報を前記表示部に表示させる表示制御手段とを有する構成となる。
【００１９】
このような構成により、検索により得られた各施設についての情報とともに、各施設に対応付けて当該施設に属する地域に固有となる地域固有情報が表示されるので、そのような地域固有情報を考慮して検索により得られた各施設から目的とする施設を決めることができるようになる。
【発明の効果】
【００２０】
本発明に係る車載ナビゲーション装置によれば、検索により得られた各施設の情報とともに、各施設に対応づけて車両が現在位置から当該施設まで走行する際に前記現在位置と前記施設の位置との相対的な関係により必要となる物があるか否かの判定結果、あるいは、各施設に対応付けて当該施設に属する地域に固有となる地域固有情報が表示されるので、検索にて得られた各施設から目的とする施設を決める際により有用な情報がその検索結果とともに提供できるようになる。
【図面の簡単な説明】
【００２１】
【図１】本発明の実施の一形態に係る車載ナビゲーション装置の構成を示すブロック図である。
【図２】図１に示したナビゲーション装置の処理ユニットにおいて実行されるＰＯＩ検索に係る処理の手順を示すフローチャートである。
【図３】ＰＯＩ検索により得られた施設（ガソリンスタンド）を地図上に表した表示画面の一例を示す図である。
【図４】ＰＯＩ検索により得られた施設（ガソリンスタンド）についてのリスト表の一例を示す図である。
【図５】図４に示すリスト表に従って表示部に表示された検索結果画面の一例を示す図である。
【図６】ＰＯＩ検索により得られた施設（ガソリンスタンド）を地図上に表した表示画面の他の一例を示す図である。
【図７】ＰＯＩ検索により得られた施設（ガソリンスタンド）について、パスポートが必要となる施設が除かれたリスト表の一例を示す図である。
【図８】図４に示すリスト表に従って表示部に表示された検索結果画面の一例を示す図である。
【発明を実施するための形態】
【００２２】
以下、本発明の実施の形態について図面を用いて説明する。
【００２３】
本発明の実施の一形態に係る車載ナビゲーション装置は、図１に示すように構成される。本発明の実施の一形態に係る車載ナビゲーション装置は、図１に示すように構成される。図１において、車載ナビゲーション装置１００は、コンピュータユニット（ＣＰＵを含む）にて構成される処理ユニット１１を有している。処理ユニット１１は、車載ナビゲーションに必要な位置情報を提供するためのＧＰＳユニット１７及びセンサ類１８（ジャイロセンサ、加速度センサ）、地図情報及び各種情報を記憶する記憶部１４（例えば、ハードディスクユニット）が接続されている。また、処理ユニット１１には、車室内に設けられ、ＬＣＤ等により構成される表示部１３、操作ボタンや表示部１３内に構成されるタッチパネル等の操作部１２、車室内に設けられたスピーカ１６に音声信号を供給する出力回路１５が接続されている。
【００２４】
処理ユニット１１は、ＧＰＳユニット１７及びセンサ類１８からの位置情報と、記憶部１４から読み出した地図情報に基づいて車両ナビゲーションに係る処理を実行する。この車両ナビゲーションに係る処理では、例えば、ＧＰＳユニット１７及びセンサ類１８により得られる車両の現在位置と目的地の位置とに基づいて車両の現在位置から目的地までのルート（経路）が検索及び設定され、表示部１３に車載ナビゲーションに係る地図とともに車両の現在位置及び設定ルートを表示させて、車両のルート案内に係るガイダンスの出力（表示または音声出力）等がなされる。
【００２５】
一方、処理ユニット１１は、ＰＯＩ検索により得られた各施設に対して、現在位置から当該施設まで走行する際に、現在位置と施設の位置との相対的な関係により必要となる物があるか否かを判定するように構成される。この実施の形態では、上記施設はガソリンスタンドであり、上記必要物はパスポートである。また、処理ユニット１１は、車両Ｓの乗員が上記パスポートを所持しているか否かを判定するように構成される。具体的には、予め車両Ｓのエンジンの始動直後に、車両Ｓの乗員にパスポートを所持しているか否かを表示部１３に表示してまたは音声で問い合わせて確認し、その回答を記憶部１４に記憶するように構成される。但し、ＰＯＩ検索の都度、乗員にパスポートを所持しているか否かを表示部１３に表示してまたは音声で問い合わせるように構成してもよい。
【００２６】
処理ユニット１１は、ＰＯＩ検索により得られた各ガソリンスタンドが属する地域に固有となる地域固有情報を取得するように構成される。この地域固有情報は、この実施の形態では、Ａ国の各州での物品に対する税金（税率）、及びＢ国の各地方での物品に対する税金（税率）である。また、処理ユニット１１は、ＰＯＩ検索により得られた各ガソリンスタンドが、車両Ｓの現在位置の属する国の飛び地に位置するか否かを判定するように構成される。この実施の形態では、Ａ国はＣ州及びＤ州を有するとともに、Ｂ国のＧ地方及びＨ地方を挟んで、Ｅ州及びＦ州からなる飛び地を有する。更に、処理ユニット１１は、上記ＰＯＩ検索により得られたガソリンスタンドについての情報とともに、各ガソリンスタンドに対応付けて上記判定結果であるパスポートの要否、Ａ国の飛び地であるか否か、及び各州または各地方での物品（ガソリン）に対する税金（税率）を表示部１３に表示させるように構成される。
【００２７】
このように構成された車載ナビゲーション装置１００の動作を説明する。車両Ｓの乗員は、図３に示すように、Ａ国からＢ国を通り、更にＡ国の飛び地を通って、Ａ国の飛び地の向こう側の所定の国を目的地に設定して車両Ｓを走行させている。この車両Ｓが走行している道路は、Ａ国のＣ州及びＤ州の州境に沿って延びた後、Ｂ国のＧ地方及びＨ地方の境界に沿って延び、更にＡ国の飛び地に達し、この飛び地のＥ州及びＦ州の州境に沿って延びて設けられる。また車両Ｓの始動直後に、処理ユニット１１は乗員にパスポートを所持している否かを問い合わせ、この問い合わせに対し乗員はパスポートを所持していると回答したため、処理ユニット１１はこの回答を既に記憶部１４に記憶している。この状態で車両Ｓの乗員は車両Ｓのガソリンが残り少なくなったことに気付き、図２に示す手順に従ってガソリンスタンドをＰＯＩ検索する。具体的には、操作部１２から或いは音声によりガソリンスタンドと入力する。すると、処理ユニット１１は、ＧＰＳユニット１７及びセンサ類１８の検出出力と、記憶部１４に記憶された地図情報及び各種情報とに基づいて車両Ｓの位置を取得する（Ｓ１１）。そして、処理ユニット１１は、図３に示すように、車両ＳがＡ国のＣ州及びＤ州の州境に沿って延びる道路上に位置していることを取得する。次いで処理ユニット１１は、検索対象施設としてガソリンスタンドを、記憶部１４に記憶された地図情報から取得した後（Ｓ１２）、乗員が上記取得されたガソリンスタンドのうち車両Ｓの走行する道路沿いであって車両Ｓの進行方向に所在するものという条件を操作部１２から或いは音声により入力すると、処理ユニット１１は、この入力に基づいて、ガソリンスタンドａ〜ｆ（図３）を検索して取得する（Ｓ１３）。
【００２８】
次に処理ユニット１１は、上記取得されたガソリンスタンドａ〜ｆを１つずつ選択して（Ｓ１４）、車両の現在位置であるＡ国から各ガソリンスタンドａ〜ｆに行くのにパスポートが必要か否か（Ｓ１５）と、各ガソリンスタンドａ〜ｆがＡ国の飛び地であるか否か（Ｓ１７）と、各ガソリンスタンドａ〜ｆの属する国の州または地方によって異なる物品（ガソリン）に対する税金（税率）とを記憶手段１４に登録する。
【００２９】
処理ユニット１１は、上記取得されたガソリンスタンドａ〜ｆのうちガソリンスタンドａを選択し（Ｓ１４）、このガソリンスタンドａがＡ国のＣ州に属するので、パスポートが不要であると判定し（Ｓ１５でＮＯ）、パスポート不要のガソリンスタンドであると記憶部１４に登録した後（Ｓ２０）、このガソリンスタンドａの属するＣ州のガソリンに対する税金（税率）が、記憶部１４に記憶された地図情報及び各種情報から１２％であることを検索して取得し、ガソリンスタンドａで販売されるガソリンには１２％の税金（税率）がかかることを記憶部１４に登録する（Ｓ２１）。次に処理ユニット１１は、ガソリンスタンドｂを選択し（Ｓ１４）、このガソリンスタンドｂがＡ国のＤ州に属するので、パスポートが不要であると判定し（Ｓ１５でＮＯ）、パスポート不要のガソリンスタンドであると記憶部１４に登録した後（Ｓ２０）、このガソリンスタンドｂの属するＤ州のガソリンに対する税金（税率）が、記憶部１４に記憶された地図情報及び各種情報から１０％であることを検索して取得し、ガソリンスタンドｂで販売されるガソリンには１０％のガソリンに対する税金（税率）がかかることを記憶部１４に登録する（Ｓ２１）。
【００３０】
また処理ユニット１１は、ガソリンスタンドｃを選択し（Ｓ１４）、このガソリンスタンドｃがＢ国のＧ地方に属するので、パスポートが必要であると判定し（Ｓ１５でＹＥＳ）、また乗員がパスポートを所持していることを既に確認しているため（Ｓ１６でＹＥＳ）、ガソリンスタンドｃに行くことができ、更にガソリンスタンドｃがＡ国の飛び地に属しないので（Ｓ１７でＮＯ）、パスポート必要のガソリンスタンドであると記憶部に登録する（Ｓ１８）。そして処理ユニット１１は、ガソリンスタンドｃの属するＧ地方のガソリンに対する税金（税率）が、記憶部１４に記憶された地図情報及び各種情報から５％であることを検索して取得し、ガソリンスタンドｃで販売されるガソリンには５％の税金（税率）がかかることを記憶部１４に登録する（Ｓ２１）。次に処理ユニット１１は、ガソリンスタンドｄを選択し、このガソリンスタンドｄがＢ国のＨ地方に属するので、パスポートが必要であると判定し（Ｓ１５でＹＥＳ）、また乗員がパスポートを所持していることを既に確認しているため（Ｓ１６でＹＥＳ）、ガソリンスタンドｄに行くことができ、更にガソリンスタンドｄがＡ国の飛び地に属しないので（Ｓ１７でＮＯ）、パスポート必要のガソリンスタンドであると記憶部１４に登録する（Ｓ１８）。そして処理ユニット１１は、ガソリンスタンドｄの属するＨ地方のガソリンに対する税金（税率）が、記憶部１４に記憶された地図情報及び各種情報から７％であることを検索して取得し、ガソリンスタンドｄで販売されるガソリンには７％の税金（税率）がかかることを記憶部１４に登録する（Ｓ２１）。
【００３１】
更に処理ユニット１４は、ガソリンスタンドｅを選択し（Ｓ１４）、このガソリンスタンドｅがＡ国の飛び地のＥ州に属するので、パスポートが必要であると判定し（Ｓ１５でＹＥＳ）、また乗員がパスポートを所持していることを既に確認しているため（Ｓ１６でＹＥＳ）、ガソリンスタンドｅに行くことができ、パスポート必要かつ飛び地のガソリンスタンドであると記憶部１４に登録する（Ｓ１９）。そして処理ユニット１１は、ガソリンスタンドｅの属するＥ州のガソリンに対する税金（税率）が、記憶部１４に記憶された地図情報及び各種情報から０％であることを検索して取得し、ガソリンスタンドｅで販売されるガソリンには税金がかからないことを記憶部１４に登録する（Ｓ２１）。次に処理ユニット１１は、ガソリンスタンドｆを選択し（Ｓ１４）、このガソリンスタンドｆがＡ国の飛び地のＦ州に属するので、パスポートが必要であると判定し（Ｓ１５でＹＥＳ）、また乗員がパスポートを所持していることを既に確認しているため（Ｓ１６でＹＥＳ）、ガソリンスタンドｆに行くことができ、パスポート必要かつ飛び地のガソリンスタンドであると記憶部１４に登録する（Ｓ１９）。そして処理ユニット１１は、ガソリンスタンドｆの属するＦ州のガソリンに対する税金（税率）が、記憶部１４に記憶された地図情報及び各種情報から１％であることを検索して取得し、ガソリンスタンドｆで販売されるガソリンには１％の税金（税率）がかかることを記憶部１４に登録する（Ｓ２１）。
【００３２】
全てのガソリンスタンドａ〜ｆに関する情報の記憶部１４への登録が完了すると（Ｓ２２でＹＥＳ、図４）、処理ユニット１１は、上記記憶部１４に登録されたガソリンスタンドａ〜ｆがパスポートの要否、Ａ国の飛び地であるか否か、及びガソリンに対する税金（税率）とともに表示部１３に表示する（Ｓ２３、図５）。この表示部１３に表示されたガソリンスタンドの情報を見た乗員は、ガソリンの残量とガソリンスタンドまでの距離とを考慮し、残量が比較的多い場合にはガソリンに対する税金のかからないＡ国の飛び地であるＥ州に所在するガソリンスタンドｅを選択する。すると処理ユニット１１はガソリンスタンドｅを目的地とするルートを設定する。この結果、乗員は最も安価なガソリンを補給することができる。またガソリンの残量が比較的少ない場合には消費税が５％と比較的少ないＢ国のＧ地方に所在するガソリンスタンドｃを選択する。すると処理ユニット１１はガソリンスタンドｃを目的地とするルートを設定する。この結果、乗員は比較的安価なガソリンを、ガソリン切れにならずに補給することができる。このように、ＰＯＩ検索により得られた各ガソリンスタンドの情報とともに、各ガソリンスタンドに対応づけて車両が現在位置から当該ガソリンスタンドまで走行する際に車両の現在位置と各ガソリンスタンドの位置との相対的な関係により必要となるパスポートがあるか否かの判定結果、及び、各ガソリンスタンドに対応付けて当該ガソリンスタンドに属する州または地方に固有となるガソリンに対する税金（税率）が表示されるので、ＰＯＩ検索にて得られた各ガソリンスタンドから目的とするガソリンスタンドを決める際により有用な情報をその検索結果とともに車両の乗員に提供できる。
【００３３】
一方、車両の乗員は、図６に示すように、Ａ国の内方からＡ国及びＢ国の国境を通り、再びＡ国の上記とは別の内方にを目的地に設定して車両Ｓを走行させている。この車両Ｓが走行している道路は、Ａ国のＣ州及びＤ州の州境をＡ国及びＢ国の国境に向って延び、Ａ国及びＢ国の国境に沿って延びた後、Ａ国のＣ州の内方に向って延びて設けられる。また車両Ｓの始動直後に、処理ユニット１１は乗員にパスポートを所持している否かを問い合わせ、この問い合わせに対し乗員はパスポートを所持していないと回答したため、処理ユニット１１はこの回答を既に記憶部１４に記憶している。この状態で車両Ｓの乗員は車両Ｓのガソリンが残り少なくなったことに気付き、図２に示す手順に従ってガソリンスタンドをＰＯＩ検索する。具体的には、操作部１２から或いは音声によりガソリンスタンドと入力する。すると、処理ユニット１１は、ＧＰＳユニット１７及びセンサ類１８の検出出力と、記憶部１４に記憶された地図情報及び各種情報とに基づいて車両Ｓの位置を取得する（Ｓ１１）。そして、処理ユニット１１は、図６に示すように、車両ＳがＡ国のＣ州及びＤ州の州境に沿って延びる道路上に位置していることを取得する。次いで処理ユニット１１は、検索対象施設としてガソリンスタンドを、記憶部１４に記憶された地図情報から取得した後（Ｓ１２）、乗員が上記取得されたガソリンスタンドのうち車両Ｓの走行する道路沿いであって車両Ｓの進行方向に所在するものという条件を操作部１２から或いは音声により入力すると、処理ユニット１１は、この入力に基づいて、ガソリンスタンドａ，ｂ，ｇ，ｈ（図６）を検索して取得する（Ｓ１３）。
【００３４】
次に処理ユニット１１は、上記取得されたガソリンスタンドａ，ｂ，ｇ，ｈを１つずつ選択して（Ｓ１４）、そのガソリンスタンドａ，ｂ，ｇ，ｈに行くのにパスポートが必要か否かと（Ｓ１５）、そのガソリンスタンドの属する州によって異なるガソリンに対する税金（税率）とを記憶手段１４に登録する。
【００３５】
処理ユニット１１は、上記取得されたガソリンスタンドａ，ｂ，ｇ，ｈのうちガソリンスタンドａを選択し（Ｓ１４）、このガソリンスタンドａがＡ国のＣ州に属するので、パスポートが不要であると判断し（Ｓ１５でＮＯ）、パスポート不要のガソリンスタンドであると記憶部１４に登録した後（Ｓ２０）、このガソリンスタンドａの属するＣ州のガソリンに対する税金（税率）が、記憶部１４に記憶された地図情報及び各種情報から１２％であることを検索して取得し、ガソリンスタンドａで販売されるガソリンには１２％の税金（税率）がかかることを記憶部１４に登録する（Ｓ２１）。次に処理ユニット１１は、ガソリンスタンドｂを選択し（Ｓ１４）、このガソリンスタンドｂがＡ国のＤ州に属するので、パスポートが不要であると判断し（Ｓ１５でＹＥＳ）、パスポート不要のガソリンスタンドであると記憶部１４に登録した後（Ｓ２０）、このガソリンスタンドｂの属するＤ州のガソリンに対する税金（税率）が、記憶部１４に記憶された地図情報及び各種情報から１０％であることを検索して取得し、ガソリンスタンドｂで販売されるガソリンには１０％の税金（税率）がかかることを記憶部１４に登録する（Ｓ２１）。
【００３６】
また処理ユニット１１は、ガソリンスタンドｇを選択し（Ｓ１４）、このガソリンスタンドｇがＢ国のＧ地方に属するので、パスポートが必要であると判断した後（Ｓ１５でＹＥＳ）、乗員がパスポートを所持していないことを既に確認しているため（Ｓ１６でＮＯ）、ガソリンスタンドｇに行くことが禁止され、ガソリンスタンドｇを記憶部１４に登録しない。次に処理ユニット１１は、ガソリンスタンドｈを選択し（Ｓ１４）、このガソリンスタンドｈがＡ国のＣ州に属するので、パスポートが不要であると判断し（Ｓ１５でＮＯ）、パスポート不要のガソリンスタンドであると記憶部１４に登録した後（Ｓ２０）、このガソリンスタンドｈの属するＣ州のガソリンに対する税金（税率）が、記憶部１４に記憶された地図情報及び各種情報から１２％であることを検索して取得し、ガソリンスタンドｈで販売されるガソリンには１２％の税金（税率）がかかることを記憶部１４に登録する（Ｓ２１）。
【００３７】
行くことが禁止されたガソリンスタンドｇを除く全てのガソリンスタンドａ，ｂ，ｈに関する情報の記憶部１４への登録が完了すると（Ｓ２２でＹＥＳ、図７）、処理ユニット１１は、上記記憶部１４に登録されたガソリンスタンドａ，ｂ，ｈを消費税とともに表示部１３に表示する（Ｓ２３、図８）。この表示部１３に表示されたガソリンスタンドの情報を見た乗員は、消費税が１０％と最も少ないガソリンスタンドｂを選択する。すると処理ユニット１１はガソリンスタンドｂを目的地とするルートを設定する。このように、車両の乗員がパスポートを所持していないので、ＰＯＩ検索により得られたガソリンスタンドから、パスポートを必要とするＢ国及びＡ国の飛び地を除外し、Ａ国内に属するガソリンスタンドに限定することにより、車両の運転に集中する乗員に対し、ＰＯＩ検索により得られたガソリンスタンドまで行くためにパスポートが必要か否かというとっさに判断し難い事項の判断を乗員に要求せずに済む。
【産業上の利用可能性】
【００３８】
以上、説明したように、本発明に係る車載ナビゲーション装置は、検索にて得られた各施設から目的とする施設を決める際により有用な情報をその検索結果とともに提供することができるという効果を有し、車両ナビゲーションに関する処理のほか、所定の検索条件に従って施設を検索し、その施設に関する情報を表示部に表示させるようにした車載ナビゲーション装置として有用である。
【符号の説明】
【００３９】
１００  車載ナビゲーション装置
１１  処理ユニット
１２  操作部
１３  表示部
１４  記憶部
１５  出力回路
１６  スピーカ
１７  ＧＰＳユニット
１８  センサ類
【図１】
2012047620.tif 000003
【図２】
2012047620.tif 000004
【図３】
2012047620.tif 000005
【図４】
2012047620.tif 000006
【図５】
2012047620.tif 000007
【図６】
2012047620.tif 000008
【図７】
2012047620.tif 000009
【図８】
2012047620.tif 000010